(57)【要約】【課題】再生専用装置であっても失敗なくアクセスすることが可能な記録媒体等を提供する。【解決手段】  本発明による記録媒体には、第１記録層および第２記録層が積層されており、第１記録層側から光が放射されてユーザデータの書き込みおよび／または読み出しが行われる。第１記録層は、ユーザデータの書き込みが可能な第１データ領域を有する。第２記録層は、同じく書き込み可能な第２データ領域、および、第２データ領域に隣接して設けられ 、所定のデータが記録された補助領域を有する。第２データ領域は、記録層の積層方向から見て、第１データ領域と実質的に同じ範囲またはより小さい範囲で規定されている。補助領域は、第２記録層にアクセスされるときに光の放射開始位置に設けられている。再生専用装置でアクセスされ得る領域には全てデータが書き込まれているため、装置はトラッキングエラーを生じることなくアクセスできる。【選択図】図８
2006031869.tif 000002
【特許請求の範囲】
【請求項１】
少なくとも第１記録層および第２記録層が積層され、前記第１記録層側から光が放射されてユーザデータの書き込みおよび／または読み出しが行われる記録媒体であって、
前記第１記録層は、ユーザデータの書き込みが可能な第１データ領域を有し、
前記第２記録層は、ユーザデータの書き込みが可能な第２データ領域、および、前記第２データ領域に隣接して設けられたリードアウト領域を有し、
前記第２データ領域は、前記第１記録層および前記第２記録層の積層方向から見て、前記第１データ領域と実質的に同じ範囲、または、前記第１データ領域よりも小さい範囲で規定されており、
前記リードアウト領域は、前記第２記録層に対し前記ユーザデータの書き込みおよび／または読み出しが行われる際に光の放射が開始される位置に設けられている、記録媒体。
【請求項２】
前記第２データ領域は、前記第１記録層および前記第２記録層の積層方向から見て、前記第１データ領域と実質的に同じ範囲で規定されている、請求項１に記載の記録媒体。
【請求項３】
前記第１データ領域の記録可能な容量は、前記第１記録層に許容される記録可能な最大容量よりも小さい、請求項１に記載の記録媒体。
【請求項４】
前記第１記録層は、管理情報が書き込まれたリードイン領域、および、ミドル領域をさらに備え、
前記リードイン領域、前記第１データ領域および前記ミドル領域は、前記光の走査方向に沿ってこの順で配置されている、請求項１に記載の記録媒体。
【請求項５】
前記管理情報は、前記光の走査が終了する前記第１データ領域の終端を特定する第１位置情報と、前記第２データ領域の終端を特定する第２位置情報とを含む、請求項４に記載の記録媒体。
【請求項６】
前記第２記録層は、ミドル領域および前記リードアウト領域を有し、
前記第２記録層において、前記ミドル領域、前記第２データ領域および前記リードアウト領域は、前記光の走査方向に沿ってこの順で配置されており、
前記リードアウト領域と前記第２データ領域との境界は、前記第１記録層および前記第２記録層の積層方向から見て、前記リードイン領域と前記第１データ領域との境界と実質的に一致する、請求項１に記載の記録媒体。
【請求項７】
前記第２記録層は、ミドル領域および前記リードアウト領域を有し、
前記ミドル領域、前記第２データ領域および前記リードアウト領域は、前記光の走査方向に沿ってこの順で配置されており、
前記リードアウト領域は、前記第１記録層および前記第２記録層の積層方向から見て、前記リードイン領域を覆うように配置されている、請求項１に記載の記録媒体。
【請求項８】
前記第１記録層は、管理情報が書き込まれたリードイン領域、および、ミドル領域を有し、前記リードイン領域、前記第１データ領域および前記ミドル領域は前記光の走査方向に沿ってこの順で配置されており、
前記第２記録層はミドル領域および前記リードアウト領域を有し、前記ミドル領域、前記第２データ領域および前記リードアウト領域は前記光の走査方向に沿ってこの順で配置されており、
前記リードアウト領域は、前記第１記録層および前記第２記録層の積層方向から見て、前記リードイン領域と実質的に同じ範囲、または、前記リードイン領域よりも大きい範囲で規定されている、請求項１に記載の記録媒体。
【請求項９】
少なくとも第１記録層および第２記録層が積層された記録媒体に対し、前記第１記録層側から光を放射して情報を記録する方法であって、
前記第１記録層に第１データ領域を形成するステップと、
前記第２記録層に第２データ領域を形成するステップであって、前記第１記録層および前記第２記録層の積層方向から見て、前記第１データ領域と実質的に同じ範囲、または、前記第１データ領域よりも小さい範囲で前記第２データ領域を形成するステップと、
前記第２データ領域に隣接するリードアウト領域を形成するステップであって、前記第２記録層にユーザデータの書き込みおよび／または読み出しが行われる際の光の放射が開始される位置にリードアウト領域を形成するステップと
を包含する記録方法。
【請求項１０】
ユーザデータの書き込みおよび／または読み出しが行われる際の光の走査方向に沿って、
前記第１データ領域の前にリードイン領域を形成しながら、前記記録媒体に関する管理情報を書き込むステップと、
前記第１データ領域の後にミドル領域を形成するステップとをさらに包含する、請求項９に記載の記録方法。
【請求項１１】
前記第１データ領域に前記ユーザデータの第１部分を書き込むステップと、
前記第２データ領域に前記ユーザデータの残りの第２部分を書き込むステップと
をさらに包含する、請求項１０に記載の記録方法。
【請求項１２】
前記ユーザデータの第１部分を書き込む前に、
前記ユーザデータのデータサイズを特定するサイズ情報を取得するステップと、
前記サイズ情報に基づいて、前記ユーザデータを実質的に等分して前記第１部分および前記第２部分を決定するステップと
をさらに包含する、請求項１１に記載の記録方法。
【請求項１３】
前記決定するステップは、前記第１部分および前記第２部分の各データサイズを、それぞれ前記第１データ領域および前記第２データ領域の記録可能な容量以下にする、請求項１２に記載の記録方法。
【請求項１４】
ユーザデータの書き込みおよび／または読み出しが行われる際の光の走査方向に沿って、前記第２データ領域の前にミドル領域を形成するステップをさらに包含する、請求項１１に記載の記録方法。
【請求項１５】
前記第１データ領域に前記ユーザデータの第１部分を書き込むステップ、
前記第２データ領域に前記ユーザデータの第２部分を書き込むステップ、
前記リードアウト領域を形成するステップ、
前記リードイン領域を形成するステップ、
前記第１記録層にミドル領域を形成するステップ、および、
前記第２記録層にミドル領域を形成するステップ
を順に実行する、請求項１４に記載の記録方法。
【請求項１６】
前記第１データ領域に前記ユーザデータの第１部分を書き込むステップ、
前記第１記録層にミドル領域を形成するステップ、
前記第２記録層にミドル領域を形成するステップ、
前記第２データ領域に前記ユーザデータの第２部分を書き込むステップ、
前記リードアウト領域を形成するステップ、および、
前記リードイン領域を形成するステップ
を順に実行する、請求項１４に記載の記録方法。
【請求項１７】
前記ユーザデータの第１部分を書き込む前に、前記ユーザデータのデータサイズを特定するサイズ情報を取得するステップ、
前記サイズ情報に基づいて、前記ユーザデータを実質的に等分して前記第１部分および前記第２部分を決定するステップ、
前記リードイン領域を形成するステップ、
前記第１データ領域に前記ユーザデータの第１部分を書き込むステップ、
前記第１記録層にミドル領域を形成するステップ、
前記第２記録層にミドル領域を形成するステップ、
前記第２データ領域に前記ユーザデータの第２部分を書き込むステップ、および、
前記リードアウト領域を形成するステップ
を順に実行する、請求項１４に記載の記録方法。
【請求項１８】
少なくとも第１記録層および第２記録層が積層された記録媒体に対し、前記第１記録層側から光を放射して情報を記録する装置であって、
前記第１記録層に第１データ領域を形成し、前記第２記録層に第２データ領域を形成するよう指示する管理部であって、前記第１記録層および前記第２記録層の積層方向から見て、第１データ領域と実質的に同じ範囲、または、第１データ領域よりも小さい範囲で第２データ領域の形成を指示する管理部と、
前記管理部からの指示に基づいて、前記第１データ領域を形成し、前記第２データ領域を形成する記録部と
を備え、前記管理部は、前記第２記録層にユーザデータの書き込みおよび／または読み出しが行われる際の光の放射が開始される位置を特定し、前記位置を含むリードアウト領域の形成を指示し、
前記記録部は、前記管理部の指示に基づいて前記リードアウト領域を形成する、記録装置。
【請求項１９】
前記管理部は、前記記録媒体に関する管理情報を生成し、
前記記録部は、ユーザデータの書き込みおよび／または読み出しが行われる際の光の走査方向に沿って、前記第１データ領域の前にリードイン領域を形成しながら前記管理情報を書き込み、前記第１データ領域の後にミドル領域を形成する、請求項１８に記載の記録装置。
【請求項２０】
ユーザデータを格納するバッファをさらに備え、
前記記録部は、前記第１データ領域に前記ユーザデータの第１部分を書き込み、前記第２データ領域に前記ユーザデータの残りの第２部分を書き込む、請求項１９に記載の記録装置。
【請求項２１】
前記ユーザデータを取得するとともに、前記ユーザデータのデータサイズを特定するサイズ情報を取得する処理部をさらに備え、
前記管理部は、取得された前記サイズ情報に基づいて前記ユーザデータを実質的に等分する計算を行って、前記ユーザデータの第１部分および第２部分を決定する、請求項２０に記載の記録装置。
【請求項２２】
前記管理部は、前記第１部分および前記第２部分の各データサイズを、それぞれ前記第１データ領域および前記第２データ領域の記録可能な容量以下にするよう計算する、請求項２１に記載の記録装置。
【請求項２３】
前記記録部は、ユーザデータの書き込みおよび／または読み出しが行われる際の光の走査方向に沿って、前記第２データ領域の前にミドル領域を形成する、請求項２０に記載の記録装置。
【請求項２４】
前記記録部は、順に、前記第１データ領域に前記ユーザデータの第１部分を書き込み、前記第２データ領域に前記ユーザデータの第２部分を書き込み、前記リードアウト領域を形成し、前記リードイン領域を形成し、前記第１記録層にミドル領域を形成し、前記第２記録層にミドル領域を形成する、請求項２３に記載の記録装置。
【請求項２５】
前記記録部は、順に、前記第１データ領域に前記ユーザデータの第１部分を書き込み、前記第１記録層にミドル領域を形成し、前記第２記録層にミドル領域を形成し、前記第２データ領域に前記ユーザデータの第２部分を書き込み、前記リードアウト領域を形成し、前記リードイン領域を形成する、請求項２３に記載の記録装置。
【請求項２６】
前記処理部は、前記ユーザデータのデータサイズを特定するサイズ情報を取得し、
前記管理部は、前記処理部によって取得された前記サイズ情報に基づいて、前記ユーザデータを実質的に等分して前記第１部分および前記第２部分を決定し、
その後、前記記録部は、順に、前記リードイン領域を形成し、前記第１データ領域に前記ユーザデータの第１部分を書き込み、前記第１記録層にミドル領域を形成し、前記第２記録層にミドル領域を形成し、前記第２データ領域に前記ユーザデータの第２部分を書き込み、および、前記リードアウト領域を形成する、請求項２３に記載の記録装置。
【発明の詳細な説明】
【技術分野】
【０００１】
本発明は、２層以上の記録層をもつ多層追記型情報記録媒体、そのような情報記録媒体に情報を記録する装置および方法に関する。
【背景技術】
【０００２】
近年、オーディオやビデオなどのＡＶデータがディジタル化されて、より高密度で大容量な光ディスクが要望されている。記録可能なデータ量を増加させるために、記録層を複数にすることは有用である。例えば現在、１枚のディスクに２つの記録層が形成された再生専用のＤＶＤが広く普及しており、記録層が１つのディスクと比較して、その記録可能なデータ量は約２倍になっている。
【０００３】
光ディスクの中には、セクタ構造の記録層を有するものが存在する。図１は、一般的な光ディスクのトラックとセクタの構成図である。円盤状の光ディスク１には、スパイラル状に多数のトラック２が形成されており、各トラック２には細かく分けられた多数のセクタ３が形成されている。
【０００４】
ディスク１の領域は、リードイン領域４と、ユーザデータ領域５と、リードアウト領域６とに大別される。データの記録再生はユーザデータ領域５に対して行われる。リードイン領域４とリードアウト領域６は、光ヘッド（図示せず）がユーザデータ領域５の端部へアクセスする際に光ヘッドがオーバーランしてもトラックに追随可能にするためのマージンとして機能し、いわばのりしろとしての役割を果たす。また、リードイン領域４には、ディスクをアクセスするために必要なパラメータが格納されたディスク情報領域を含んでいる。セクタ３には、そのセクタを識別するために、物理セクタ番号（Physical Sector Number；ＰＳＮ）が割り付けられている。さらに、ユーザデータ領域５にあるセクタ３には、ホストコンピュータなどの上位装置（図示せず）がそのセクタを認識するために、０から始まる連続した論理セクタ番号（Logical Sector Number；ＬＳＮ）も割付けられている。
【０００５】
図２は、記録層Ｌ１およびＬ２を持つ光ディスクの断面を示す。記録層Ｌ１およびＬ２（以下、それぞれ「Ｌ１層」および「Ｌ２層」と記述する）には透明な基板にスパイラル状のトラックになるように溝が形成され、その上に記録層が被着されている。Ｌ１層およびＬ２層は別体で形成され、透明な光硬化樹脂によって貼り合わされて１枚の光ディスクになる。ここで説明の便宜上、光が入射する側の記録層をＬ１層、遠い方をＬ２層とする。Ｌ１層は、入射光を半分反射して半分透過するように厚みや組成を調整されている。Ｌ２層は、入射光を全て反射するように厚みや組成を調整されている。光ディスク装置は対物レンズを光ディスクに近づけたり遠ざけたりすることによってレーザ光の収束する位置を調整し、レーザ光のビームスポット（焦点）をＬ１層またはＬ２層上に位置させることができる。
【０００６】
図３（ａ）〜（ｃ）は、パラレルトラックパスと呼ばれる２層ＤＶＤのトラック、再生方向およびセクタ番号を示す。図３（ａ）はＬ１層およびＬ２層の各々に設けられているスパイラル状の溝パターン２−１および２−２を示す。図３（ｂ）は、各記録層に対しユーザデータの書き込みおよび／または読み出しを行うときの光の走査方向を示す。図３（ｃ）は各記録層に対応して割り当てられたセクタ番号の変化を示す。
【０００７】
光ディスクを時計回りに回転させると、Ｌ１層およびＬ２層のいずれについても、光の走査は、トラック２−１および２−２に沿って共に内周から外周に向かって進む。図３（ｂ）に示すように、Ｌ１層のユーザデータ領域５の最内周から最外周までのユーザデータが再生され、その後、Ｌ２層のユーザデータ領域５の最内周から最外周までのユーザデータが再生される。Ｌ１層およびＬ２層のユーザデータ領域５は、光ヘッドがオーバーランしてもトラックに追随できるように、リードイン領域４とリードアウト領域６とで挟まれている。
【０００８】
図３（ｃ）に示すように、各層の物理セクタ番号ＰＳＮおよび論理セクタ番号ＬＳＮは再生方向の順で増加するように割り当てられる。物理セクタ番号ＰＳＮは０から始まらなくてもよいし、Ｌ１層とＬ２層とで連続していなくてもよい。ディスクの成形時に適宜決定できる。なお図３（ｃ）では、物理セクタ番号ＰＳＮには層番号が含まれており、かつ、その層番号はセクタ番号の前に付加されているとしている。論理セクタ番号ＬＳＮは、ディスクにある全てのユーザデータ領域５に対して、０から始まる連続した数字が割り当てられる。Ｌ１層のユーザデータ領域５では、論理セクタ番号ＬＳＮは最内周で０になり、外周へ進むにつれて１ずつ増加する。Ｌ２層のユーザデータ領域５では、最内周のセクタの論理セクタ番号ＬＳＮは１層目の最大ＬＳＮに１を加えた番号から始まり、外周へ進むにつれて１ずつ増加する。
【０００９】
図４（ａ）〜（ｃ）は、オポジットトラックパスと呼ばれる２層ＤＶＤのトラック、再生方向およびセクタ番号を示す。図４（ａ）はＬ１層およびＬ２層の各々に設けられているスパイラル状の溝パターン２−１および２−２を示す。図４（ｂ）は、各記録層に対しユーザデータの書き込みおよび／または読み出しを行うときの光の走査方向を示す。図４（ｃ）は各記録層に対応して割り当てられたセクタ番号の変化を示す。
【００１０】
光ディスクを時計回りに回転させると、Ｌ１層では、光の走査はトラック２−１に沿って内周から外周へ進み、Ｌ２層では外周から内周へと進む。図４（ｂ）に示すように、Ｌ１層のユーザデータ領域５の最内周から最外周までのユーザデータが再生され、その後、Ｌ２層のユーザデータ領域５の最外周から最内周までのユーザデータが再生される。光ヘッドがオーバーランしてもトラックに追随できるように、Ｌ１層はリードイン領域４とミドル領域７とで挟まれ、Ｌ２層はミドル領域７とリードアウト領域６とで挟まれている。ミドル領域７の役割はリードアウト領域６と同じである。
【００１１】
図４（ｃ）に示すように、各層の物理セクタ番号ＰＳＮおよび論理セクタ番号ＬＳＮは再生方向の順で増加するように割り当てられる。但し、Ｌ２層のスパイラル方向はＬ１層のスパイラル方向とは逆であるため、セクタ番号と半径方向の位置との関係は変わる。Ｌ１層のユーザデータ領域５では、論理セクタ番号ＬＳＮは最内周で０になり、外周へ進むにつれて１ずつ増加する。Ｌ２層のユーザデータ領域５では、論理セクタ番号ＬＳＮは、最外周でＬ１層の最大ＬＳＮに１を加えた番号になり、内周へ進むにつれて１ずつ増加する。Ｌ２層のユーザデータ領域５では、最外周のセクタのＬＳＮはＬ１層の最大ＬＳＮに１を加えた番号から始まり、内周へ進むにつれて１ずつ増加する。
【００１２】
ここまでは、再生専用の光ディスクを中心に説明してきたが、光ディスクにはユーザが任意のデータを記録できる追記型の光ディスク（ＤＶＤ−Ｒ）が知られている。ＤＶＤ−Ｒにおいても記録層を複数にすることは、ユーザがより高密度で大容量なユーザオリジナルのＤＶＤを作製でき、特許文献１に開示されているように非常に有用である。近年は、Ｂｌｕ−ｒａｙ  Ｄｉｓｃの開発等にみられるような技術の進歩もあり、光入射側に近いＬ１層、相対的に遠いＬ２層の順序に関係なく記録できる技術も開発されている。
【００１３】
ＤＶＤ−Ｒは追記型の記録媒体のため、一度記録した情報を消すことができないという特性を有する。したがって、ＤＶＤ−Ｒでは、以前に記録された情報が存在していると、その情報の記録位置とは異なる位置に新しい情報を追記する必要がある。
【００１４】
ＤＶＤ−Ｒディスクに追記されるデータは、再生専用のＤＶＤ−ＲＯＭディスクと同様である。すなわち、１セクタは、２０４８バイトのユーザデータと、同期マークと、セクタを識別するセクタＩＤと、セクタＩＤの誤り訂正符号であるＩＥＤと、ユーザデータの誤り訂正符号であるＥＤＣから構成されるデータとによって構成される。１６セクタを集めて１ＥＣＣブロックが構成される。各セクタには、ＥＣＣブロック単位で計算された誤り訂正符号が配分されている。従って、ＤＶＤ−Ｒディスクに対する記録再生は、ＥＣＣブロック単位で実行する必要がある。
【００１５】
ＤＶＤ−Ｒへのデータの記録方法として、ディスクアットワンス記録とインクリメンタル記録が知られている。ディスクアットワンス記録とは、１回の記録でＤＶＤ−ＲＯＭのような再生専用ディスクと互換性のあるディスクを作製できる記録方法である。ディスクアットワンス記録では、データの書き込みを中断することなく、シーケンシャルにリードイン領域、ユーザデータ領域、ミドル領域、リードアウト領域が形成される。
【００１６】
一方のインクリメンタル記録とは、複数回に分けてデータを書き込むことを可能とする記録方法である。インクリメンタル記録では、仮に光ディスクへのデータの書き込みを中断してディスクを装置から排出したとしても、その後再び装置に装填してユーザデータを追記することが可能である。ただし、ＤＶＤ−ＲＯＭのような再生専用ディスクと互換性のあるディスクを作製するためには、ファイナライズと呼ばれる完了処理を行う必要がある。ファイナライズを行うと、ユーザデータ領域以外の領域、具体的にはリードイン領域とリードアウト領域とが形成される。ファイナライズ後は、ユーザデータを追記することはできない。
【００１７】
図５は、オポジットトラックパスを有する未記録状態の２層ＤＶＤ−Ｒディスクの断面を示す。ただし、図示しているのはＤＶＤ−Ｒディスクの１半径相当の断面のみである。図５に示す「内周側」は回転中心のある方向であり、「外周側」はディスクの周縁部の方向を示す。
【００１８】
Ｌ１層およびＬ２層は未記録状態であり、Ｌ１層にはデータ書き込み可能領域５０−１が設けられ、Ｌ２層にはデータ書き込み可能領域５０−１が設けられている。データ書き込み可能領域５０−１の始端および終端は、それぞれＰ（Ｌ１＿Ｓ）およびＰ（Ｌ１＿Ｅ）で表されている。また、データ書き込み可能領域５０−２の始端および終端は、それぞれＰ（Ｌ２＿Ｓ）およびＰ（Ｌ２＿Ｅ）で表されている。
【００１９】
図６は、ファイナライズ終了後の２層ＤＶＤ−Ｒディスクの断面を示す。ファイナライズ終了後には、Ｌ１層およびＬ２層にはそれぞれ複数種類の領域が形成されている。具体的には、Ｌ１層には、リードイン領域６０−１、Ｌ１  データ領域６１−１およびＬ１ミドル領域６２−１が形成される。またＬ２層には、リードアウト領域６０−２、Ｌ２データ領域６１−２およびＬ２ミドル領域６２−２が形成される。図５および図６から明らかなように、リードイン領域、リードアウト領域およびＬ１／Ｌ２ミドル領域は、いずれも当初から形成されているのではなく、ユーザデータの書き込みに併せて形成される。
【００２０】
このＤＶＤ−Ｒディスクはオポジットトラックパスであるため、Ｌ１データ領域６１−１およびＬ２データ領域６１−２に記録されたデータを連続して読み出すときの光ヘッド（図示せず）は、リードイン領域６０−１、第１記録層ミドル領域６１−１、Ｌ１ミドル領域６２−１、Ｌ２ミドル領域６２−２、Ｌ２データ領域６１−２およびリードアウト領域６０−２の順序で移動する。なお、Ｌ２ミドル層６２−２およびリードアウト領域６０−２は、再生専用のＤＶＤに関連して説明したと同様、光ヘッドがオーバーランしてもトラックに追随可能にするためのマージン（のりしろ）としての役割を果たす。そのためＤＶＤでは最小サイズは規定されているが、最小限満たさなければならないサイズ（一般的には半径幅で１ｍｍ程度）より大きければ問題はない。
【００２１】
Ｌ１データ領域６１−１の終端は、リードイン領域６０−１およびＬ１ミドル層６２−１の領域サイズに基づいて定められる。またＬ２データ領域６１−２の終端は、Ｌ２ミドル層６２−２およびリードアウト領域６０−２の領域サイズに基づいて定められる。図６では、Ｌ１ミドル層６２−１、Ｌ２ミドル層６２−２およびリードアウト領域６０−２の領域サイズが最小の状態であり、Ｌ１データ領域６１−１およびＬ２データ領域６１−２が最大の状態を示す。このとき、Ｌ２データ領域６１−２の始端（Ｌ２ミドル領域６２−２と接する位置）の物理セクタ番号は、Ｌ１データ領域６１−１の終端（Ｌ１ミドル領域６２−１と接する位置）の物理セクタ番号をビット反転させて得られる。
【００２２】
従来例では、２層のＤＶＤ−Ｒへの記録方法を明示していない。しかし一般的には、ユーザデータの記録はＬ１データ領域６１−１から開始され、その終端に到達すると、残りのユーザデータをＬ２データ領域６１−２がいっぱいになるまで記録すると考えられる。
【００２３】
図７は、データの書き込み後に未記録領域７３を有する２層ＤＶＤ−Ｒディスクの断面を示す。いま、記録されるユーザデータのデータ量が、２層ＤＶＤ−Ｒディスク５００に記録可能な最大データ量の４分の３程度であるとする。一般には、リードアウト領域７０−２の領域サイズは最小に設定される。そのため、リードアウト領域７０−２の終端Ｐ（Ｌ２＿ＯＵＴ＿Ｅ）から内周側の領域は未記録領域７３として残っている。
【００２４】
ＤＶＤプレイヤ等の再生専用装置は、このディスクに書き込まれたデータを読み出して再生することが可能である。具体的には、再生専用装置は、Ｌ１データ領域７１−１に記録されたデータに対しては、Ｌ１層の内周側の位置からアクセスしてＬ１データ領域７１−１に到達し、そのデータを読み出す。一方、Ｌ２データ領域７１−２に書き込まれたデータに対しては、まずＬ１データ領域７１−１の内周側の位置にアクセスし、その後、Ｌ２層へアクセスする。そしてＬ２データ領域７１−２に到達し、その領域内のデータを読み出す。
【特許文献１】特開２００１−１２６２５５号公報
【発明の開示】
【発明が解決しようとする課題】
【００２５】
再生専用装置は、Ｌ２層の内周側の位置に未記録領域７３が存在すると、Ｌ２層の内周側の位置へのアクセスに失敗する場合がある。その理由は、未記録領域７３ではトラッキングサーボにエラーが生じやすいためである。すなわち、再生専用装置は、未記録領域が存在しない光ディスク（ＤＶＤ−ＲＯＭなど）からデータを読み出すことを想定しているため、Ｌ２層に書き込まれたデータ（より具体的にはマークおよびスペース）を利用してＬ２層へのトラッキングサーボを行う。リードアウト領域７０−２の終端Ｐ（Ｌ２＿ＯＵＴ＿Ｅ）よりも外周側の領域であれば、リードアウト領域７０−２を規定するデータが書き込まれているためにトラッキングエラーは生じにくい。しかし、例えばＬ１データ領域７１−１の始端Ｐ（Ｌ１＿Ｄ＿Ｓ）周辺からＬ２層へのアクセスしようとしても、対応するＬ２層の位置Ｐ（Ｌ２＿Ｄ＿Ｓ）は未記録領域７３に属するため、トラッキングサーボに利用可能なデータが存在しない。よって、Ｌ２層の位置Ｐ（Ｌ２＿Ｄ＿Ｓ）ではトラッキングサーボが外れやすくなる。
【００２６】
本発明の目的は、再生専用装置であっても失敗なくアクセスすることが可能な記録媒体を提供し、そのような記録媒体を作製できる装置を提供することである。
【課題を解決するための手段】
【００２７】
本発明による記録媒体は、少なくとも第１記録層および第２記録層が積層されており、前記第１記録層側から光が放射されてユーザデータの書き込みおよび／または読み出しが行われる。前記第１記録層は、ユーザデータの書き込みが可能な第１データ領域を有し、前記第２記録層は、ユーザデータの書き込みが可能な第２データ領域、および、前記第２データ領域に隣接して設けられたリードアウト領域を有し、前記第２データ領域は、前記第１記録層および前記第２記録層の積層方向から見て、前記第１データ領域と実質的に同じ範囲、または、前記第１データ領域よりも小さい範囲で規定されており、前記リードアウト領域は、前記第２記録層に対し前記ユーザデータの書き込みおよび／または読み出しが行われる際に光の放射が開始される位置に設けられている。
【００２８】
前記第２データ領域は、前記第１記録層および前記第２記録層の積層方向から見て、前記第１データ領域と実質的に同じ範囲で規定されていてもよい。
【００２９】
前記第１データ領域の記録可能な容量は、前記第１記録層に許容される記録可能な最大容量よりも小さくてもよい。
【００３０】
前記第１記録層は、管理情報が書き込まれたリードイン領域、および、ミドル領域をさらに備え、前記リードイン領域、前記第１データ領域および前記ミドル領域は、前記光の走査方向に沿ってこの順で配置されていてもよい。
【００３１】
前記管理情報は、前記光の走査が終了する前記第１データ領域の終端を特定する第１位置情報と、前記第２データ領域の終端を特定する第２位置情報とを含んでいてもよい。
【００３２】
前記第２記録層は、ミドル領域および前記リードアウト領域を有し、前記第２記録層において、前記ミドル領域、前記第２データ領域および前記リードアウト領域は、前記光の走査方向に沿ってこの順で配置されており、前記リードアウト領域と前記第２データ領域との境界は、前記第１記録層および前記第２記録層の積層方向から見て、前記リードイン領域と前記第１データ領域との境界と実質的に一致してもよい。
【００３３】
前記第２記録層は、ミドル領域および前記リードアウト領域を有し、前記ミドル領域、前記第２データ領域および前記リードアウト領域は、前記光の走査方向に沿ってこの順で配置されており、前記リードアウト領域は、前記第１記録層および前記第２記録層の積層方向から見て、前記リードイン領域を覆うように配置されていてもよい。
【００３４】
前記第１記録層は、管理情報が書き込まれたリードイン領域、および、ミドル領域を有し、前記リードイン領域、前記第１データ領域および前記ミドル領域は前記光の走査方向に沿ってこの順で配置されており、前記第２記録層はミドル領域および前記リードアウト領域を有し、前記ミドル領域、前記第２データ領域および前記リードアウト領域は前記光の走査方向に沿ってこの順で配置されており、前記リードアウト領域は、前記第１記録層および前記第２記録層の積層方向から見て、前記リードイン領域と実質的に同じ範囲、または、前記リードイン領域よりも大きい範囲で規定されていてもよい。
【００３５】
本発明による記録方法は、少なくとも第１記録層および第２記録層が積層された記録媒体に対し、前記第１記録層側から光を放射して情報を記録する。前記記録方法は、前記第１記録層に第１データ領域を形成するステップと、前記第２記録層に第２データ領域を形成するステップであって、前記第１記録層および前記第２記録層の積層方向から見て、前記第１データ領域と実質的に同じ範囲、または、前記第１データ領域よりも小さい範囲で前記第２データ領域を形成するステップと、前記第２データ領域に隣接するリードアウト領域を形成するステップであって、前記第２記録層にユーザデータの書き込みおよび／または読み出しが行われる際の光の放射が開始される位置にリードアウト領域を形成するステップとを包含する。
【００３６】
ユーザデータの書き込みおよび／または読み出しが行われる際の光の走査方向に沿って、前記第１データ領域の前にリードイン領域を形成しながら、前記記録媒体に関する管理情報を書き込むステップと、前記第１データ領域の後にミドル領域を形成するステップとをさらに包含してもよい。
【００３７】
前記第１データ領域に前記ユーザデータの第１部分を書き込むステップと、前記第２データ領域に前記ユーザデータの残りの第２部分を書き込むステップとをさらに包含してもよい。
【００３８】
前記ユーザデータの第１部分を書き込む前に、前記ユーザデータのデータサイズを特定するサイズ情報を取得するステップと、前記サイズ情報に基づいて、前記ユーザデータを実質的に等分して前記第１部分および前記第２部分を決定するステップとをさらに包含してもよい。
【００３９】
前記決定するステップは、前記第１部分および前記第２部分の各データサイズを、それぞれ前記第１データ領域および前記第２データ領域の記録可能な容量以下にしてもよい。
【００４０】
ユーザデータの書き込みおよび／または読み出しが行われる際の光の走査方向に沿って、前記第２データ領域の前にミドル領域を形成するステップをさらに包含してもよい。
【００４１】
前記第１データ領域に前記ユーザデータの第１部分を書き込むステップ、前記第２データ領域に前記ユーザデータの第２部分を書き込むステップ、前記リードアウト領域を形成するステップ、前記リードイン領域を形成するステップ、前記第１記録層にミドル領域を形成するステップ、および、前記第２記録層にミドル領域を形成するステップを順に実行してもよい。
【００４２】
前記第１データ領域に前記ユーザデータの第１部分を書き込むステップ、前記第１記録層にミドル領域を形成するステップ、前記第２記録層にミドル領域を形成するステップ、前記第２データ領域に前記ユーザデータの第２部分を書き込むステップ、前記リードアウト領域を形成するステップ、および、前記リードイン領域を形成するステップを順に実行してもよい。
【００４３】
前記ユーザデータの第１部分を書き込む前に、前記ユーザデータのデータサイズを特定するサイズ情報を取得するステップ、前記サイズ情報に基づいて、前記ユーザデータを実質的に等分して前記第１部分および前記第２部分を決定するステップ、前記リードイン領域を形成するステップ、前記第１データ領域に前記ユーザデータの第１部分を書き込むステップ、前記第１記録層にミドル領域を形成するステップ、前記第２記録層にミドル領域を形成するステップ、前記第２データ領域に前記ユーザデータの第２部分を書き込むステップ、および、前記リードアウト領域を形成するステップを順に実行してもよい。
【００４４】
本発明による記録装置は、少なくとも第１記録層および第２記録層が積層された記録媒体に対し、前記第１記録層側から光を放射して情報を記録する。前記記録装置は、前記第１記録層に第１データ領域を形成し、前記第２記録層に第２データ領域を形成するよう指示する管理部であって、前記第１記録層および前記第２記録層の積層方向から見て、第１データ領域と実質的に同じ範囲、または、第１データ領域よりも小さい範囲で第２データ領域の形成を指示する管理部と、前記管理部からの指示に基づいて、前記第１データ領域を形成し、前記第２データ領域を形成する記録部とを備えている。前記管理部は、前記第２記録層にユーザデータの書き込みおよび／または読み出しが行われる際の光の放射が開始される位置を特定し、前記位置を含むリードアウト領域の形成を指示し、前記記録部は、前記管理部の指示に基づいて前記リードアウト領域を形成する。
【００４５】
前記管理部は、前記記録媒体に関する管理情報を生成し、前記記録部は、ユーザデータの書き込みおよび／または読み出しが行われる際の光の走査方向に沿って、前記第１データ領域の前にリードイン領域を形成しながら前記管理情報を書き込み、前記第１データ領域の後にミドル領域を形成してもよい。
【００４６】
ユーザデータを格納するバッファをさらに備え、前記記録部は、前記第１データ領域に前記ユーザデータの第１部分を書き込み、前記第２データ領域に前記ユーザデータの残りの第２部分を書き込んでもよい。
【００４７】
前記ユーザデータを取得するとともに、前記ユーザデータのデータサイズを特定するサイズ情報を取得する処理部をさらに備え、前記管理部は、取得された前記サイズ情報に基づいて前記ユーザデータを実質的に等分する計算を行って、前記ユーザデータの第１部分および第２部分を決定してもよい。
【００４８】
前記管理部は、前記第１部分および前記第２部分の各データサイズを、それぞれ前記第１データ領域および前記第２データ領域の記録可能な容量以下にするよう計算してもよい。
【００４９】
前記記録部は、ユーザデータの書き込みおよび／または読み出しが行われる際の光の走査方向に沿って、前記第２データ領域の前にミドル領域を形成してもよい。
【００５０】
前記記録部は、順に、前記第１データ領域に前記ユーザデータの第１部分を書き込み、前記第２データ領域に前記ユーザデータの第２部分を書き込み、前記リードアウト領域を形成し、前記リードイン領域を形成し、前記第１記録層にミドル領域を形成し、前記第２記録層にミドル領域を形成してもよい。
【００５１】
前記記録部は、順に、前記第１データ領域に前記ユーザデータの第１部分を書き込み、前記第１記録層にミドル領域を形成し、前記第２記録層にミドル領域を形成し、前記第２データ領域に前記ユーザデータの第２部分を書き込み、前記リードアウト領域を形成し、前記リードイン領域を形成してもよい。
【００５２】
前記処理部は、前記ユーザデータのデータサイズを特定するサイズ情報を取得し、前記管理部は、前記処理部によって取得された前記サイズ情報に基づいて、前記ユーザデータを実質的に等分して前記第１部分および前記第２部分を決定し、その後、前記記録部は、順に、前記リードイン領域を形成し、前記第１データ領域に前記ユーザデータの第１部分を書き込み、前記第１記録層にミドル領域を形成し、前記第２記録層にミドル領域を形成し、前記第２データ領域に前記ユーザデータの第２部分を書き込み、および、前記リードアウト領域を形成してもよい。
【００５３】
本発明による多層追記型情報記録媒体は、第１の記録層と第２の記録層の少なくとも２つの記録層を備えている。前記第１の記録層は、ユーザデータを読み書きするための第１のデータ領域を備え、前記第２の記録層は、少なくとも前記第１のデータ領域の内周側末端に相当するほぼ同じ半径位置から、前記第１のデータ領域の外周側末端に相当するほぼ同じ半径位置まで記録された領域
を備えている。
【００５４】
前記第２の記録層は、ユーザデータを読み書きするための第２のデータ領域を含んでいてもよい。
【００５５】
前記第１のデータ領域は、前記第２のデータ領域とほぼ同じサイズであってもよい。
【００５６】
前記第１のデータ領域は、前記第１の記録層に記録できる最大サイズよりも小さいサイズであってもよい。
【００５７】
前記第１の記録層の記録された領域は、前記多層追記型情報記録媒体に関する管理情報を含むリードイン領域と、前記第１のデータ領域と、所定のサイズ以上の第１のミドル領域とを備え、所定の方向に沿って前記リードイン領域、前記第１のデータ領域、前記第１のミドル領域の順で割り付けられていてもよい。
【００５８】
前記管理情報は、前記第１のデータ領域における再生方向に沿った終端の位置である前記第１のデータ領域の最終位置と、前記第２のデータ領域における再生方向に沿った終端の位置である前記第２のデータ領域の最終位置とを含んでいてもよい。
【００５９】
前記第２の記録層の記録された領域は、所定のサイズ以上の第２のミドル領域と、前記第２のデータ領域と、所定のサイズ以上で、少なくとも前記第１のデータ領域の内周側末端に相当する、ほぼ同じ半径位置まで配置されたリードアウト領域を備え、所定の方向に沿って、前記第２のミドル領域、前記第２のデータ領域、前記リードアウト領域の順で割り付けられていてもよい。
【００６０】
本発明による情報記録方法は、第１の記録層と第２の記録層の少なくとも２つの記録層を備えた多層追記型情報記録媒体に情報を記録する。前記情報記録方法は、（ａ）前記第１の記録層に、ユーザデータの所定のサイズ分である第１のユーザデータを第１のデータ領域に記録するステップと、（ｂ）前記第２の記録層の、少なくとも前記第１のデータ領域の内周側末端に相当するほぼ同じ半径位置と、前記第１のデータ領域の外周側末端に相当するほぼ同じ半径位置とに挟まれた領域を記録するステップと、を含んでいてもよい。
【００６１】
前記情報記録方法は、（ｃ）前記第１の記録層に前記多層追記型情報記録媒体に関する管理情報を含むリードイン領域を記録するステップと、（ｄ）前記第１の記録層に所定のサイズ以上の第１のミドル領域を記録するステップとをさらに含んでいてもよい。
【００６２】
前記ステップ（ｂ）は、（ｅ）前記第２の記録層に、前記ユーザデータの総サイズから前記第１のユーザデータのサイズを引いた残りのサイズ分の前記ユーザデータである第２のユーザデータを第２のデータ領域に記録するステップを含んでいてもよい。
【００６３】
前記情報記録方法は、（ｆ）前記ユーザデータの総サイズを記録開始前に取得するステップと、（ｇ）前記ユーザデータの総サイズを、前記第１のユーザデータのサイズと、前記第２のユーザデータのサイズに割り振る際に、各々のサイズが近くなるように、前記第１のユーザデータのサイズを前記第１の記録層に記録できる最大サイズよりも小さく算出するステップとをさらに含んでいてもよい。
【００６４】
前記ステップ（ｇ）において、前記第１のユーザデータサイズは、前記第２のユーザデータサイズとほぼ等しいサイズとして算出してもよい。
【００６５】
前記ステップ（ｂ）は、（ｈ）前記第２の記録層に、所定のサイズ以上の第２のミドル領域を記録するステップと、（ｉ）前記第２の記録層に、少なくとも前記第１のデータ領域の内周側末端に相当するほぼ同じ半径位置までリードアウト領域を記録するステップとをさらに含んでいてもよい。
【００６６】
前記情報記録方法は、（ｃ）前記第１の記録層に前記多層追記型情報記録媒体に関する管理情報を含むリードイン領域を記録するステップと、（ｄ）前記第１の記録層に所定のサイズ以上の第１のミドル領域を記録するステップとをさらに含み、前記ステップ（ｂ）は、（ｅ）前記第２の記録層に、前記ユーザデータの総サイズから前記第１のユーザデータのサイズを引いた残りのサイズ分の前記ユーザデータである第２のユーザデータを第２のデータ領域に記録するステップと、（ｈ）前記第２の記録層に、所定のサイズ以上の第２のミドル領域を記録するステップと、（ｉ）前記第２の記録層に、少なくとも前記第１のデータ領域の内周側末端に相当するほぼ同じ半径位置までリードアウト領域を記録するステップとを含んでいてもよい。
【００６７】
前記情報記録方法は、前記ステップ（ａ）、前記ステップ（ｅ）、前記ステップ（ｉ）、前記ステップ（ｃ）、前記ステップ（ｄ）、前記ステップ（ｈ）の順序で実行してもよい。
【００６８】
前記情報記録方法は、前記ステップ（ａ）、前記ステップ（ｄ）、前記ステップ（ｈ）、前記ステップ（ｅ）、前記ステップ（ｉ）、前記ステップ（ｃ）の順序で実行してもよい。
【００６９】
前記情報記録方法は、（ｆ）前記ユーザデータの総サイズを記録開始前に取得するステップと、（ｇ）前記ユーザデータの総サイズを、前記第１のユーザデータのサイズと、前記第２のユーザデータのサイズに割り振る際に、各々のサイズが近くなるように、前記第１のユーザデータのサイズを前記第１の記録層に記録できる最大サイズよりも小さく算出するステップとをさらに含んでいてもよい。
【００７０】
前記情報記録方法は、前記ステップ（ｆ）、前記ステップ（ｇ）前記ステップ（ｃ）、前記ステップ（ａ）、前記ステップ（ｄ）、前記ステップ（ｈ）、前記ステップ（ｅ）、前記ステップ（ｉ）の順序で実行してもよい。
【００７１】
本発明による情報記録装置は、第１の記録層と第２の記録層の少なくとも２つの記録層を備えた多層追記型情報記録媒体に情報を記録する。情報記録装置は、（ａ）前記第１の記録層に、ユーザデータの所定のサイズ分である第１のユーザデータを第１のデータ領域に記録する手段と、（ｂ）前記第２の記録層の、少なくとも前記第１のデータ領域の内周側末端に相当するほぼ同じ半径位置と、前記第１のデータ領域の外周側末端に相当するほぼ同じ半径位置とに挟まれた領域を記録する手段とを備えている。
【００７２】
前記情報記録装置は、（ｃ）前記第１の記録層に前記多層追記型情報記録媒体に関する管理情報を含むリードイン領域を記録する手段と、（ｄ）前記第１の記録層に所定のサイズ以上の第１のミドル領域を記録する手段とをさらに含
んでいてもよい。
【００７３】
前記手段（ｂ）は、（ｅ）前記第２の記録層に、前記ユーザデータの総サイズから前記第１のユーザデータのサイズを引いた残りのサイズ分の前記ユーザデータである第２のユーザデータを第２のデータ領域に記録する手段を含んでいてもよい。
【００７４】
前記情報記録装置は、（ｆ）前記ユーザデータの総サイズを記録開始前に取得する手段と、（ｇ）前記ユーザデータの総サイズを、前記第１のユーザデータのサイズと、前記第２のユーザデータのサイズに割り振る際に、各々のサイズが近くなるように、前記第１のユーザデータのサイズを前記第１の記録層に記録できる最大サイズよりも小さく算出する手段とをさらに含んでいてもよい。
【００７５】
前記手段（ｇ）は、前記第１のユーザデータサイズは、前記第２のユーザデータサイズとほぼ等しいサイズとして算出してもよい。
【００７６】
前記手段（ｂ）は、（ｈ）前記第２の記録層に、所定のサイズ以上の第２のミドル領域を記録する手段と、（ｉ）前記第２の記録層に、少なくとも前記第１のデータ領域の内周側末端に相当するほぼ同じ半径位置までリードアウト領域を記録する手段とをさらに含んでいてもよい。
【００７７】
前記情報記録装置は、（ｃ）前記第１の記録層に前記多層追記型情報記録媒体に関する管理情報を含むリードイン領域を記録する手段と、（ｄ）前記第１の記録層に所定のサイズ以上の第１のミドル領域を記録する手段とをさらに含み、前記手段（ｂ）は、（ｅ）前記第２の記録層に、前記ユーザデータの総サイズから前記第１のユーザデータのサイズを引いた残りのサイズ分の前記ユーザデータである第２のユーザデータを第２のデータ領域に記録する手段と、（ｈ）前記第２の記録層に、所定のサイズ以上の第２のミドル領域を記録する手段と、（ｉ）前記第２の記録層に、少なくとも前記第１のデータ領域の内周側末端に相当するほぼ同じ半径位置までリードアウト領域を記録する手段とを含んでいてもよい。
【００７８】
前記情報記録装置は、前記手段（ａ）、前記手段（ｅ）、前記手段（ｉ）、前記手段（ｃ）、前記手段（ｄ）、前記手段（ｈ）をこの順序で動作させてもよい。
【００７９】
前記情報記録装置は、前記手段（ａ）、前記手段（ｄ）、前記手段（ｈ）、前記手段（ｅ）、前記手段（ｉ）、前記手段（ｃ）をこの順序で動作させてもよい。
【００８０】
前記情報記録装置は、（ｆ）前記ユーザデータの総サイズを記録開始前に取得する手段と、（ｇ）前記ユーザデータの総サイズを、前記第１のユーザデータのサイズと、前記第２のユーザデータのサイズに割り振る際に、各々のサイズが近くなるように、前記第１のユーザデータのサイズを前記第１の記録層に記録できる最大サイズよりも小さく算出する手段とをさらに含んでいてもよい。
【００８１】
前記情報記録装置は、前記手段（ｆ）、前記手段（ｇ）前記手段（ｃ）、前記手段（ａ）、前記手段（ｄ）、前記手段（ｈ）、前記手段（ｅ）、前記手段（ｉ）をこの順序で動作させてもよい。
【００８２】
前記情報記録装置は、前記手段（ｆ）、前記手段（ｇ）前記手段（ｃ）、前記手段（ａ）、前記手段（ｄ）、前記手段（ｈ）、前記手段（ｅ）、前記手段（ｉ）をこの順序で動作させてもよい。
【発明の効果】
【００８３】
本発明によれば、再生専用装置でアクセスする可能性のある領域が全て記録済みとなるため、トラッキングエラーを生じることなくアクセスできる記録媒体を得ることができる。
【００８４】
本発明によれば、データ領域が層別に均等に配置された記録媒体を得ることができる。これにより、ディスク最内周ユーザデータ位置から、異なる層におけるディスク最外周ユーザデータ位置までの距離、もしくは同じ層におけるディスク最内周ユーザデータ位置からディスク最外周ユーザデータ位置までの距離が短くなり、層内でのアクセス、もしくは層を跨ぐアクセスを高速化することが可能となる。
【００８５】
本発明によれば、上述の記録媒体を生成できる記録方法および記録装置を得ることができる。本発明の記録方法および記録装置によれば、記録媒体への中断なしでのシーケンシャルな記録を短時間で完了可能であり、再生専用ＤＶＤプレイヤでアクセス可能な多層追記型情報記録媒体を高速に作製可能となる。
【発明を実施するための最良の形態】
【００８６】
以下、添付の図面を参照して、本発明の実施形態を説明する。
【００８７】
（実施形態１）
本実施形態では、図４（ａ）〜４（ｃ）に示されるオポジットトラックパスの光ディスクを説明する。本明細書では、以下、単に「位置」というときは物理セクタ番号によって特定される光ディスク上の位置を表すとする。
【００８８】
図８は、本実施形態による光ディスク１００の断面と形成された領域の配置を示す。光ディスク１００は積層された２つの記録層（Ｌ１層およびＬ２層）を有している。例えば光ディスク１００は２層ＤＶＤ−Ｒディスクである。光ディスク１００には、データを書き込み、またはデータを読み出す際にレーザ光が放射される。本実施形態では、図８に示すＬ１層およびＬ２層のうちＬ１層の側のディスク面からレーザ光が放射されるとする。以下では、そのディスク面を単に「表面」という。
【００８９】
図８は、記録可能な最大データ量の４分の３程度までユーザデータが書き込まれ、その後、ファイナライズが行われた光ディスク１００を示している。光ディスク１００のＬ１層には、内周側から順にリードイン領域８０−１、Ｌ１データ領域８１−１およびＬ１ミドル領域８２−１が配置されている。またＬ２層には、内周側から順にリードアウト領域８０−２、Ｌ２データ領域８１−２およびＬ２ミドル領域８２−２が配置されている。各領域にはいずれも所定のデータが書き込まれる。例えばリードイン領域に記録されるデータは、光ディスク装置９０が再生時の制御に必要な情報として利用される。本明細書において「領域を形成する」とは、いずれの領域であるかを示すデータを書き込み、そのデータによって当該領域として機能させることをいうとする。
【００９０】
光ディスク１００の各領域のデータ量（サイズ）は、リードイン領域８０−１、Ｌ１ミドル領域８２−１およびＬ２ミドル領域８２−２のいずれについても最小データ量であるとする。すなわち、これらの領域のサイズは、各層のデータ領域のサイズを最大にするように決定されるとする。なお、各領域がファイナライズ時に初めて形成される場合には、ユーザデータの書き込み時にはそれらの領域は存在しないことになる。しかし、上述のように各領域のサイズを予め決定しておくことにより、各層のデータ領域の始端および終端の位置も逆算できるため、各領域が存在しなくてもユーザデータをデータ領域のどの位置まで書き込めるかを予め特定できる。
【００９１】
光ディスク１００のすべての領域を順に読み出す際には、レーザ光は、まずリードイン領域８０−１からＬ１データ領域８１−１、Ｌ１ミドル領域８２−１とアクセスし、その後、Ｌ２ミドル領域８２−２、Ｌ２データ領域８１−２、リードアウト領域８０−２に至る。なお、光ディスク１００の表面からＬ１層までの深さは、１層の記録層のみを有する光ディスクの表面からの深さと実質的に同じである。
【００９２】
まず、Ｌ１データ領域８１−１およびＬ２データ領域８１−２は、ホストコンピュータ等の上位装置から指示されたユーザデータが書き込まれている。Ｌ１データ領域８１−１は位置Ｐ（Ｌ１＿Ｄ＿Ｓ）を始端とし、位置Ｐ（Ｌ１＿Ｄ＿Ｅ）を終端としている。Ｌ２データ領域８１−２は、位置Ｐ（Ｌ２＿Ｄ＿Ｓ）を始端とし位置Ｐ（Ｌ２＿Ｄ＿Ｅ）を終端としている。
【００９３】
リードイン領域８０−１は、ディスクの制御情報であるディスク情報８５を格納する領域を有する。ディスク情報８５は、位置情報ＰＡおよびＰＢを格納している。位置情報ＰＡは、ユーザデータが記録された全てのデータ領域（ここではＬ１データ領域８１−１およびＬ２データ領域８１−２）の最終位置、すなわち図８ではＬ２データ領域８１−２の終端の位置Ｐ（Ｌ２＿Ｄ＿Ｅ）を特定する。位置情報ＰＢは、Ｌ１層における最終のユーザデータが記録されたＬ１データ領域８１−１の終端の位置Ｐ（Ｌ１＿Ｄ＿Ｅ）を特定する。
【００９４】
Ｌ１ミドル領域８２−１およびＬ２ミドル領域８２−２は、位置Ｐ（Ｌ１＿Ｄ＿Ｅ）に１を加えた位置からＬ１ミドル領域８２−１の終端の位置Ｐ（Ｌ１＿Ｅ）まで設けられている。位置Ｐ（Ｌ１＿Ｅ）は、Ｌ１層へのデータの記録可能な領域の終端である。Ｌ２ミドル領域８２−２は、Ｌ１ミドル領域８２−１の終端の位置Ｐ（Ｌ１＿Ｅ）を反転した位置Ｐ（Ｌ２＿Ｓ）から、Ｌ２データ領域８１−２の始端の位置Ｐ（Ｌ２＿Ｄ＿Ｓ）−１まで設けられている。上述の「反転」という語は、セクタ番号がビット表記されているときに、各桁のビット値を０から１または１から０へ入れ替えることをいう。
【００９５】
Ｌ２データ領域８１−２は、Ｌ１層およびＬ２層の積層方向から見ると、Ｌ１データ領域８１−１と実質的に同じ範囲、または、前記第１データ領域よりも狭い範囲で規定されている。そして、リードアウト領域８０−２は、直接Ｌ２層にアクセスしてユーザデータを読み出すときの補助領域として機能する。すなわち、リードアウト領域８０−２は、Ｌ２層に対しユーザデータの書き込みおよび／または読み出しが行われる際に、Ｌ２層にはじめに光の放射が開始される位置に設けられている。よって、本実施形態によるリードアウト領域８０−２は、従来例によるリードアウト領域の最終位置（図７のＰ（Ｌ２＿ＯＵＴ＿Ｅ））よりも内周側まで記録されている。
【００９６】
なお図８では、リードアウト領域８０−２は位置Ｐ（Ｌ２＿Ｅ）まで設けられており、Ｌ２層にデータを記録可能な領域の終端であるとしているが、必ずしも終端でなくてもよい。例えば、最小限満たさなければならないサイズ以上であり、かつ、再生専用装置（ＤＶＤプレイヤ）でアクセスする可能性のあるＬ１層の最内周位置（例えばリードイン領域８０−１内のディスク情報８５が記録された位置）と同じ半径位置またはその位置よりも内周側の位置まで設けられていればよい。
【００９７】
次に、図９を参照しながら、本実施形態による光ディスク装置９０を説明する。図９は、本実施形態による光ディスク装置９０の機能ブロックの構成を示す。光ディスク装置９０は、上位装置（例えばホストコンピュータ１１０）とＩ／Ｏバス１０５で接続され、ホストコンピュータ１１０からの命令に基づいて、装填された光ディスク１００に対してデータを書き込み、書き込まれたデータを読み出すことができる。なお、光ディスク装置９０とホストコンピュータ１１０とが同一の筐体に収められてもよい。このような形態は、例えば光ディスクレコーダにおいて採用される。
【００９８】
光ディスク装置９０は、光ヘッド９１と、記録部９２と、ディスク情報管理部９３と、データバッファ９４と、管理バッファ９５と、再生部９６と、処理部９７とを有する。光ヘッド９１は、光ディスク１００にレーザ光を放射して、データを書き込みおよび／または読み出す。
【００９９】
記録部９２は、光ディスク１００への記録時の制御を行う。例えば記録部９２は、ディスク情報管理部９３からの指示を受けて、リードイン領域８０−１を規定するデータとともにディスク情報８５を書き込む。また記録部９２は、Ｌ１ミドル領域８２−１およびＬ２ミドル領域８２−２、リードアウト領域８０−２を規定するデータを書き込み、Ｌ１データ領域８１−１およびＬ２データ領域８１−２にユーザデータを書き込む。
【０１００】
ディスク情報管理部９３は、ユーザデータを追記する際の開始位置を管理し、また、Ｌ１層からＬ２層へ跨ってユーザデータを書き込むときにユーザデータをＬ１データ領域８１−１およびＬ２データ領域８１−２に振り分ける。データバッファ９４は、書き込みの対象となるデータおよび／または読み出したデータを一時的に格納する。管理バッファ９５は追記情報や、ディスク情報管理部９３の管理の対象となる光ディスク１００に関する管理情報を格納する。再生部９６は、光ディスク１００からの再生時の制御を行う。処理部９７は、ホストコンピュータ１１０からの命令を処理し、追記情報に関する処理を行う。
【０１０１】
次に、図１０を参照しながら、光ディスク装置９０のインクリメンタル記録による記録動作を説明する。ユーザデータの記録に際しては、ホストコンピュータ１１０から追記命令と共に追記するユーザデータサイズが制御情報として指示され、さらに追記するユーザデータが転送されるとする。また、追記完了時には、光ディスク装置９０はホストコンピュータ１１０からファイナライズを指示する命令を受け取るとする。
【０１０２】
図１０は、本実施形態による光ディスク装置９０の記録処理の手順を示す。まずステップＳ９０において、処理部９７がホストコンピュータ１１０から受信した命令が追記命令か否かを判定する。追記命令を受信したときはステップＳ９１に進み、受信していないときはステップＳ９２に進む。
【０１０３】
ステップＳ９１では、記録部９２はディスク情報管理部９３から指示を受けて、追記可能位置（ＮＷＡとも称する）からユーザデータの書き込みを開始する。追記可能位置ＮＷＡを特定する情報は管理バッファ９５に格納されており、初めて記録が行われるときの追記可能位置ＮＷＡは、Ｌ１データ領域８１−１の始端の位置Ｐ（Ｌ１＿Ｄ＿Ｓ）である。ユーザデータを書き込む際の具体的な処理は図１１を参照しながら後に詳細に説明する。
【０１０４】
ステップＳ９２では、処理部９７は、受信した命令がファイナライズ命令か否かを判定する。ファイナライズ命令であるときはステップＳ９３に進み、そうでないときは記録処理を終了して、その命令に従って他の処理を行う。
【０１０５】
ステップＳ９３では、記録部９２はディスク情報管理部９３から指示を受けて、記録層の積層方向からみてＬ１層のデータ領域の開始位置よりも内周側の位置までリードアウト領域８０−２を形成する。例えば、ファイナライズ実行時の追記可能位置ＮＷＡ（すなわちＬ２データ領域８１−２の終端の位置Ｐ（Ｌ２＿Ｄ＿Ｅ）に１を加えたセクタ位置）から、Ｌ２層にデータを記録可能な領域の終端の位置Ｐ（Ｌ２＿Ｅ）までリードアウト領域８０−２を形成する。この結果、図８に示すように、Ｌ１データ領域８１−１の始端の位置Ｐ（Ｌ１＿Ｄ＿Ｓ）よりも内周側の位置まで、リードアウト領域８０−２が形成される。
【０１０６】
なお、どのようなデータを記録すればリードアウト領域８０−２を形成できるかについては周知であるため、その説明は省略する。これは、次に説明するステップＳ９４〜Ｓ９６についても同様とする。
【０１０７】
次のステップＳ９４では、記録部９２は、全てのデータ領域の終端の位置Ｐ（Ｌ２＿Ｄ＿Ｅ）を特定する情報ＰＡおよびＬ１データ領域８１−１の終端の位置Ｐ（Ｌ１＿Ｄ＿Ｅ）を特定する情報ＰＢを、ディスク情報８５の一部としてリードイン領域８０−１に書き込む。データ領域の終端の位置Ｐ（Ｌ２＿Ｄ＿Ｅ）は、ファイナライズ実行時のＮＷＡから１を引いた位置が採用される。その後処理はステップＳ９５に進む。
【０１０８】
ステップＳ９５において、記録部９２は、Ｌ１データ領域８１−１の終端の位置Ｐ（Ｌ１＿Ｄ＿Ｅ）に１を加えた物理セクタからＬ１層の記録可能な領域の終端の位置Ｐ（Ｌ１＿Ｅ）までに、Ｌ１ミドル領域８２−１を形成する。その後処理はステップＳ９６に進む。
【０１０９】
ステップＳ９６では、記録部９２は、Ｌ１ミドル領域８２−１の終端の位置Ｐ（Ｌ１＿Ｅ）を反転したＬ２層の位置Ｐ（Ｌ２＿Ｓ）から、Ｌ２データ領域８１−２の始端の位置Ｐ（Ｌ２＿Ｄ＿Ｅ）から１を引いた位置まで、Ｌ２ミドル領域８２−２を形成する。その後、処理は終了する。
【０１１０】
上述の処理により、光ディスク装置９０はデータ領域の終端の位置Ｐ（Ｌ２＿Ｄ＿Ｅ）に１を加えた位置から記録可能な領域の終端の位置Ｐ（Ｌ２＿Ｅ）までを、全てリードアウト領域８０−２として形成する。リードアウト領域８０−２は、少なくともリードイン領域８０−１のディスク情報８５が記述された位置よりも内周位置にまで広がる。したがって、本実施形態によれば、光ディスク装置９０は、再生専用装置によってアクセスされ得る領域の全てに何らかのデータが記録されることになる。よって、Ｌ２層にアクセスするときに従来生じていたトラッキングサーボのエラーが生じることがなくなり、再生専用装置であっても適切なトラッキングサーボが可能になる。
【０１１１】
次に、上述のステップＳ９１において行われるユーザデータの書き込み処理を、図１１を参照しながら説明する。図１１は、ユーザデータを書き込むための処理の手順を示す。図１１に示す処理は、図１０のステップＳ９１において実行されるサブルーチンである。ステップＳ１００において、ディスク情報管理部９３は、管理バッファ９５に格納された現在の追記可能位置ＮＷＡの情報を読み出し、現在の追記可能位置ＮＷＡがＬ１層内か否かを判定する。ディスク情報管理部９３は、追記可能位置ＮＷＡの最上位ビットが０のときは、現在の追記可能位置ＮＷＡはＬ１層内であると判定してステップＳ１０１に進み、１のときはＬ２層内であると判定してステップＳ１０２に進む。
【０１１２】
ステップＳ１０１において、ディスク情報管理部９３は、追記すべきユーザデータのデータサイズと、Ｌ１データ領域８１−１に書き込み可能な領域（Ｌ１層の空き領域）データサイズとを比較し、追記すべきユーザデータが全てＬ１データ領域８１−１に収まるか否かを判定する。ユーザデータのデータサイズがＬ１層の空き領域のサイズ以下のときはＬ１層の空き領域に収まると判定してステップＳ１０３に進み、Ｌ１層の空き領域のサイズより大きいときはＬ１層の空き領域に収まらないと判定してステップＳ１０７に進む。なお、追記すべきユーザデータのデータサイズはホストコンピュータ１１０から受信されており、また、Ｌ１データ領域８１−１に書き込み可能なデータサイズは、追記可能位置ＮＷＡから、Ｌ１データ領域８１−１の終端の位置Ｐ（Ｌ１＿Ｄ＿Ｅ）までのデータサイズを求めることにより得られる。
【０１１３】
ステップＳ１０２では、ディスク情報管理部９３は、追記すべきユーザデータのデータサイズと、Ｌ２データ領域８１−２に書き込み可能な領域（Ｌ２層の空き領域）データサイズとを比較し、追記すべきユーザデータが全てＬ２データ領域８１−２に収まるか否かを判定する。この処理はステップＳ１０１と同様の基準に基づいて行われる。収まるときはステップＳ１０３に進み、収まらないときは、警告メッセージ等をユーザに提示して処理を終了する。
【０１１４】
ステップＳ１０３では、記録部９２はディスク情報管理部９３から指示を受けて、データバッファ９４に格納された全てのユーザデータを追記可能位置ＮＷＡからユーザデータの書き込む。その後、ステップＳ１０４において、ディスク情報管理部９３は追記可能位置ＮＷＡを更新する。
【０１１５】
ステップＳ１０５では、追記可能位置ＮＷＡがＬ１層のデータ領域の最終値を初めて超えたか否かを判定する。超えたときにはステップＳ１０６に進み、超えていないときは処理を終了する。なお、ステップＳ１０５の判定はユーザデータをＬ１層に書き込んだ後に行われる。Ｌ２層への書き込みを行った後には、当初から追記可能位置ＮＷＡがＬ１層のデータ領域の最終値を超えているため、この判定の結果は“Ｎｏ”の処理に進むことになり、その結果処理は終了する。ステップＳ１０６では、ディスク情報管理部９３は、追記可能位置ＮＷＡをＬ２データ領域８１−２の始端の位置Ｐ（Ｌ２＿Ｄ＿Ｓ）に設定する。
【０１１６】
一方、ステップＳ１０７では、ディスク情報管理部９３は、全てのユーザデータをＬ１データ領域８１−１およびＬ２データ領域８１−２に書き込むことができるか否かを判定する。この判定は、全てのユーザデータのデータ量と、Ｌ１データ領域８１−１に書き込み可能なデータサイズおよびＬ２データ領域８１−２に書き込み可能なデータサイズの合計値とを比較することによって行われる。書き込みができると判定するとステップＳ１０８に進み、書き込みができないと判定すると処理は終了する。
【０１１７】
ステップＳ１０８では、記録部９２はディスク情報管理部９３からの指示を受けて、現在の追記可能位置ＮＷＡからＬ１データ領域８１−１の終端の位置Ｐ（Ｌ１＿Ｄ＿Ｅ）までユーザデータを書き込む。続いてディスク情報管理部９３は、追記可能位置ＮＷＡをＬ２データ領域８１−２の始端の位置Ｐ（Ｌ２＿Ｄ＿Ｓ）に設定し、ステップＳ１１０において、残りの全てのユーザデータを追記可能位置ＮＷＡから書き込む。書き込み終了後、ステップＳ１１１において、ディスク情報管理部９３は追記可能位置ＮＷＡを更新し、処理を終了する。
【０１１８】
以上、実施形態１の光ディスク装置９０およびその処理によって作製される光ディスク１００を説明した。本実施形態では、ファイナライズ時に形成する領域の順序を、リードアウト領域８０−２、リードイン領域８０−１、Ｌ１ミドル領域８２−１およびＬ２ミドル領域８２−２として説明した（図１０のステップＳ９３〜Ｓ９６）。
【０１１９】
しかし、領域の形成順序はこの例に限られることはなく、他の順序を採用することもできる。例えば、ユーザデータをＬ１データ領域８１−１に書き込んだ後で、かつ、Ｌ２データ領域８１−２に残りのユーザデータを書き込む前に、Ｌ１ミドル領域８２−１およびＬ２ミドル領域８２−２を形成してもよい。すなわち、Ｌ１データ領域８１−１、Ｌ１ミドル領域８２−１、Ｌ２ミドル領域８２−２、Ｌ２データ領域８１−２、リードアウト領域８０−２およびリードイン領域８０−１の順序で領域を形成する。これは、図１１のステップＳ１０８およびステップＳ１０９の間に、図１０に示すステップＳ９５および９６を実行することにより実現される。さらに他の順序として、ユーザデータをＬ１データ領域８１−１およびＬ２デ―タ領域８１−２に書き込んだ後に、リードイン領域８０−１、Ｌ１ミドル領域８２−１、Ｌ２ミドル領域８２−２およびリードアウト領域８０−２の順序で領域を形成してもよい。
【０１２０】
また本実施形態では、インクリメンタル記録を例に挙げて説明した。しかし、ディスクアットワンス記録であっても実施形態に示すように記録すれば、再生専用装置によりアクセスする可能性のある情報領域全て記録済みとすることが可能である。これにより、再生専用装置によるアクセスが可能な多層追記型情報記録媒体を作製することが可能であることはいうまでもない。ディスクアットワンス記録を採用するときもまた、Ｌ１データ領域８１−１およびＬ２データ領域８１−２を含む全ての領域に関して、記録順序を任意に設定できる。
【０１２１】
半径方向に関していえば、リードアウト領域８０−２は、再生専用装置がアクセスする可能性があるＬ１層の最内周位置（例えばディスク情報８５が格納されている位置）と同半径位置を含むように、内周側まで形成されていればよい。
【０１２２】
（実施形態２）
図１２は、ディスクアットワンス記録が行われた本実施形態による光ディスク１０１の断面と形成された領域の配置を示す。光ディスク１０１と図８に示す光ディスク１００との相違点は、例えば、領域の配置の仕方である。その他の点、例えば２つの記録層がオポジットトラックパスの光ディスクであること等は同じであるとする。
【０１２３】
光ディスク１０１のＬ１層には、内周側から順にリードイン領域１２０−１と、リードアウト領域１２０−２と、Ｌ１データ領域１２１−１と、未記録領域１２３−１とが配置されている。またＬ２層には、内周側から順にＬ２データ領域１２１−２と、Ｌ１ミドル領域１２２−１と、Ｌ２ミドル領域１２２−２と、未記録領域１２３−２とが配置されている。未記録領域１２３−１および１２３−２にはデータが書き込まれていない。一方、未記録領域以外の領域に書き込まれたデータは、実施形態１で説明した同名の領域に書き込まれるデータと同じである。例えばリードイン領域１２０−１には、データ領域の終端の位置（ここではＰ（Ｌ２＿Ｄ＿Ｅ））を特定する情報ＰＡおよび、Ｌ１データ領域１２１−１の終端の位置Ｐ（Ｌ１＿Ｄ＿Ｅ）を特定する情報ＰＢが、ディスク情報の一部として書き込まれている。
【０１２４】
ユーザデータはほぼ均等に分割され、Ｌ１データ領域１２１−１およびＬ２データ領域１２１−２にほぼ均等な割合で記録されている。ここで、Ｌ１データ領域１２１−１には、ユーザデータをＥＣＣブロック単位に変換し、変換後のＥＣＣブロックが偶数ブロックの場合はユーザデータをＥＣＣブロック単位で２分割したときの前半部、奇数ブロックの場合は偶数ブロックになるよう切り上げたのち、２分割したときの前半部が記録されている。そのため、Ｌ１データ領域１２１−１の終端の位置Ｐ（Ｌ１＿Ｄ＿Ｅ）は、ＥＣＣ境界となる。
【０１２５】
Ｌ１ミドル領域１２２−１は、位置Ｐ（Ｌ１＿Ｄ＿Ｅ）＋１から位置Ｐ（Ｌ１＿Ｍ＿Ｅ）までにわたって記録されている。Ｌ１ミドル領域１２２−１は、光ヘッドがＬ１データ領域１２１−１の終端の位置Ｐ（Ｌ１＿Ｄ＿Ｅ）付近にアクセスするときにオーバーランを防げるだけの最小限満たさなければならないサイズ（半径幅でいうと一般的には１ｍｍ程度）で形成されている。
【０１２６】
Ｌ２ミドル領域１２２−２は、Ｌ１データ領域１２１−１の終端の位置Ｐ（Ｌ１＿Ｄ＿Ｅ）を反転した位置Ｐ（Ｌ２＿Ｄ＿Ｓ）から、Ｌ１データ領域１２１−１の始端の位置Ｐ（Ｌ１＿Ｄ＿Ｓ）＋１を反転した位置Ｐ（Ｌ２＿Ｄ＿Ｅ）までにわたって形成されている。
【０１２７】
リードアウト領域１２０−２は、全てのデータ領域の終端の位置（ここではＬ２データ領域１２１−２の終端の位置Ｐ（Ｌ２＿Ｄ＿Ｅ）)＋１から、Ｌ２層の記録可能な領域の終端の位置Ｐ（Ｌ２＿Ｅ）までにわたって形成されている。ただし、リードアウト領域１２０−２の終端の位置は、必ずしも位置Ｐ（Ｌ２＿Ｅ）に一致させなくてもよい。
【０１２８】
Ｌ１層の未記録領域１２３−１は、位置Ｐ（Ｌ１＿Ｍ＿Ｅ）＋１から位置Ｐ（Ｌ１＿Ｅ）までにわたって形成される。Ｌ２層の未記録領域１２３−２は、位置Ｐ（Ｌ１＿Ｅ）の反転位置から、位置Ｐ（Ｌ１＿Ｍ＿Ｅ）＋１の反転位置までにわたって形成される。
【０１２９】
図１２によれば、Ｌ１ミドル領域１２２−１およびＬ２ミドル領域１２２−２は最外周部に配置される必要がないことが理解される。
【０１３０】
図１２に示す光ディスク１０１は、実施形態１による光ディスク装置９０（図９）と同じ装置によって作製される。以下の説明では、光ディスク装置９０によって光ディスク１０１を作製する手順を説明する。なお、ユーザデータの記録に際しては、ホストコンピュータ１１０から、追記命令と共に追記するユーザデータサイズが制御情報として指示され、さらに追記するユーザデータが転送されるとする。また、追記完了時には、光ディスク装置９０はホストコンピュータ１１０からファイナライズを指示する命令を受け取るとする。
【０１３１】
図１３は、本実施形態による光ディスク装置９０の記録処理の手順を示す。まずステップＳ１３０において、処理部９７がホストコンピュータ１１０から受信した命令が追記命令か否かを判定する。追記命令を受信していないときはステップＳ１３１に進み、受信したときはステップＳ１３３に進む。ステップＳ１３１では、処理部９７は受け取った命令がユーザデータサイズを指定する命令であるか否かを判定し、指定する命令のときはステップＳ１３２に進み、指定する命令でないときはステップＳ１３０に戻る。ステップＳ１３２では、ディスク情報を決定する。具体的には、ディスク情報管理部９３はホストコンピュータ１１０から指示されたユーザデータサイズに基づいて、ユーザデータサイズをほぼ均等に分割する。そして、一方のユーザデータの最終部分をＬ１データ領域１２１−１の終端の位置Ｐ（Ｌ１＿Ｄ＿Ｅ）として設定し、他方のユーザデータの最終部分の位置をＬ２データ領域１２１−２の終端の位置Ｐ（Ｌ２＿Ｄ＿Ｅ）として設定する。それぞれの終端の位置の情報は、光ディスク１０１に関する情報として管理バッファ９５に格納される。なお、ディスク情報を設定する処理の詳細は、後に図１４を参照しながら説明する。
【０１３２】
ステップＳ１３３において、記録部９２はディスク情報管理部９３からの指示を受けて、データバッファ９４に格納されたユーザデータを、Ｌ１データ領域１２１−１の始端の位置Ｐ（Ｌ１＿Ｄ＿Ｓ）から書き込む。書き込みは、管理バッファ９５に格納された位置Ｐ（Ｌ１＿Ｄ＿Ｅ）まで継続される。その後、ディスク情報管理部９３は記録部９２に対して、Ｌ１データ領域１２１−１の終端の位置Ｐ（Ｌ１＿Ｄ＿Ｅ）を反転したＬ２層の位置Ｐ（Ｌ２＿Ｄ＿Ｓ）を指定する。記録部９２はその位置から残りのユーザデータの書き込みを開始する。書き込みは、管理バッファ９５に格納された位置Ｐ（Ｌ２＿Ｄ＿Ｅ）まで継続される。
【０１３３】
次のステップＳ１３４では、処理部９７は、書き込みが終了したか否かを判定する。終了していないときはステップＳ１３３に戻って書き込みを継続し、終了したときはステップＳ１３５に進む。ステップＳ１３５では、記録部９２はディスク情報管理部９３から指示を受けてリードアウト領域１２０−２を形成する。リードアウト領域１２０−２は、Ｌ２データ領域１２１−２の終端の位置Ｐ（Ｌ２＿Ｄ＿Ｅ）に１を加えた位置から、Ｌ２層のデータ記録可能な領域の終端の位置Ｐ（Ｌ２＿Ｅ）までである。ただし、位置Ｐ（Ｌ２＿Ｅ）は例であって、例えばリードイン領域１２０−１のディスク情報が書き込まれている領域よりも内周側の位置までであればその位置は任意である。その後記録部９２は、ステップＳ１３６においてリードイン領域１２０−１を形成し、ステップＳ１３７においてＬ１ミドル領域１２２−１を形成し、ステップＳ１３８においてＬ２ミドル領域１２２−２を形成する。これらの手順は図１０のステップＳ９４からＳ９６までの処理と同様である。これにより、光ディスク装置９０は図１２に示す光ディスク１０１を得ることができる。
【０１３４】
なお上述のステップＳ１３６では、リードイン領域１２０−１の形成とあわせて、管理バッファ９５に格納されていたディスク情報がリードイン領域１２０−１に書き込まれる。そこで、以下図１４を参照しながら、ディスク情報を設定する処理を説明する。図１４は、ディスク情報の設定処理の手順を示す。図１４に示す処理は図１３のステップＳ１３２において実行されるサブルーチンである。ステップＳ１４０において、ディスク情報管理部９３はホストコンピュータ１１０から指示されたユーザデータのデータサイズに基づいて、ユーザデータを分割する。すなわちディスク情報管理部９３は、ユーザデータの前半部がＥＣＣブロック境界で折り返せるように分割し、Ｌ１層に記録されるユーザデータ前半部のセクタ数と、Ｌ２層に記録されるユーザデータ後半部のセクタ数とを算出する。例えば、ユーザデータサイズをＥＣＣブロック単位に換算した場合に偶数ＥＣＣブロックになるときは、ＥＣＣブロック単位で均等に分割し、前半部のユーザデータセクタ数、後半部のユーザデータセクタ数を決定する。また、奇数ＥＣＣブロックになるときは、偶数ＥＣＣブロックになるようにＥＣＣブロック数を切り上げた後、ＥＣＣブロック単位で均等に分割し、前半部のユーザデータセクタ数、後半部のユーザデータセクタ数を決定する。
【０１３５】
ステップＳ１４１において、ディスク情報管理部９３は、Ｌ１データ領域１２１−１の始端の位置Ｐ（Ｌ１＿Ｄ＿Ｓ）に、算出したユーザデータ前半部のセクタ数を加算し、Ｌ１データ領域１２１−１の終端の位置Ｐ（Ｌ１＿Ｍ＿Ｅ）を算出する。
【０１３６】
次のステップＳ１４２において、ディスク情報管理部９３は、Ｌ１データ領域１２１−１の終端の位置Ｐ（Ｌ１＿Ｍ＿Ｅ）を反転した位置Ｐ（Ｌ２＿Ｄ＿Ｓ）に算出したユーザデータ後半部のセクタ数を加算して、データ領域の最終位置（ここではＬ２データ領域１２１−２の終端の位置Ｐ（Ｌ２＿Ｄ＿Ｅ）を算出する。そしてステップＳ１４３において、ディスク情報管理部９３は、計算したＬ２データ領域１２１−２の終端の位置Ｐ（Ｌ２＿Ｄ＿Ｅ）を特定する位置情報ＰＡと、Ｌ１データ領域１２１−１の終端の位置Ｐ（Ｌ１＿Ｍ＿Ｅ）を特定する位置情報ＰＢとを管理バッファ９５に格納する。これによりディスク情報が設定される。
【０１３７】
本実施形態の光ディスク装置９０は、データ領域の終端の位置Ｐ（Ｌ２＿Ｄ＿Ｅ）＋１から、Ｌ２層に記録可能な領域の終端の位置Ｐ（Ｌ２＿Ｅ）までをリードアウト領域１２０−２として形成する。Ｌ１データ領域１２１−１に対応するＬ２層の領域はＬ２データ領域１２１−２であるため、データが書き込まれている。したがって、この光ディスク１０１は再生専用装置がアクセスする可能性のある情報領域の全てにデータが書き込まれているといえ、トラッキングエラーを生じることなくＬ２層にアクセスできる。また、従来と比べて、同容量のユーザデータを記録する場合にリードアウト領域１２０−２が小さくて済み、書き込みに要する時間を短縮することができる。さらに、実施形態１による光ディスク１００に比べても、同じ層内でのアクセス、記録層を跨いだアクセス等に要する時間を短縮することができる。
【０１３８】
アクセス速度が向上するという利点は、リードイン領域１２０−１、Ｌ１ミドル領域１２２−１、Ｌ２ミドル領域１２２−２およびリードアウト領域１２０−２の有無にかかわらず得ることができる。例えば、記録装置のように凸凹溝からトラッキングエラー信号を検出する再生専用装置であれば、リードイン領域やミドル領域やリードアウト領域は必要ない。このような再生専用装置を想定した場合であっても、データ領域を２分割することによってアクセス速度が向上するのは明白である。
【０１３９】
本実施形態によれば、Ｌ１層からＬ２層への折り返し位置を算出する際にユーザデータを均等に分けることにより、Ｌ１データ領域１２１−１およびＬ２データ領域１２１−２に書き込まれるユーザデータのデータ量を概ね等しくしている。これは、上位装置（図示せず）指示ユーザデータサイズをほぼ均等に分割し記録したときに、リードアウト領域が小さくて済み、記録時間を短縮できる等の効果が最も強く得られるからである。ただし、ユーザデータを厳密に均等に分割しなくても、上述の効果は失われることはない。Ｌ１データ領域１２１−１の終端の位置Ｐ（Ｌ１＿Ｄ＿Ｅ）のより少しでも内周位置で折り返せばよい。
【０１４０】
実施形態１の説明に付記したと同様に、本実施形態においても各領域は種々の順序で形成することができる。例えばリードイン領域１２０−１、Ｌ１データ領域１２１−１、Ｌ１ミドル領域１２２−１、Ｌ２ミドル領域１２２−２、Ｌ２データ領域１２１−２、リードアウト領域１２０−２の順序で領域を形成してもよいし、Ｌ１データ領域１２１−１、Ｌ２データ領域１２１−２、リードイン領域１２０−１、Ｌ１ミドル領域１２２−１、Ｌ２ミドル領域１２２−２、リードアウト領域１２０−２の順序で領域を形成してもよい。
【０１４１】
実施形態１および２では、オポジットトラックパスの例を挙げ、Ｌ２層からのデータの読み出しが外周側から内周側に向かうとして説明した。しかし、パラレルトラックパスの光ディスクに対しては、Ｌ２層については内周側から外周側に向かう方向でデータを読み出してもよい。
【０１４２】
なお、光ディスクを生産する工程において、ディスク中心のずれである偏芯、各記録層の張り合わせずれ、ディスクの溝ピッチの差、などの誤差が発生する。しかし、このような誤差が存在していても本実施形態による効果が損なわれることはない。
【産業上の利用可能性】
【０１４３】
本発明は、複数の記録層が積層された記録媒体に情報を記録する機器、例えばＤＶＤレコーダやＰＣ用のＤＶＤドライブ等として実現される。このような機器によって作製された記録媒体が再生専用装置に装填されると、再生専用装置はトラッキングエラーを生じることなくアクセスすることができ、データを読み出すことができる。
【図面の簡単な説明】
【０１４４】
【図１】（ａ）および（ｂ）は、一般的な光ディスクのトラックとセクタの構成図である。
【図２】記録層Ｌ１およびＬ２を持つ光ディスクの断面を示す図である。
【図３】（ａ）〜（ｃ）は、パラレルトラックパスと呼ばれる２層ＤＶＤのトラック、再生方向およびセクタ番号を示す図である。
【図４】（ａ）〜（ｃ）は、オポジットトラックパスと呼ばれる２層ＤＶＤのトラック、再生方向およびセクタ番号を示す図である。
【図５】オポジットトラックパスを有する未記録状態の２層ＤＶＤ−Ｒディスクの断面を示す図である。
【図６】ファイナライズ終了後の２層ＤＶＤ−Ｒディスクの断面を示す図である。
【図７】データの書き込み後に未記録領域７３を有する２層ＤＶＤ−Ｒディスクの断面を示す図である。
【図８】実施形態１による光ディスク１００の断面と形成された領域の配置を示す図である。
【図９】実施形態１による光ディスク装置９０の機能ブロックの構成を示す図である。
【図１０】実施形態１による光ディスク装置９０の記録処理の手順を示す図である。
【図１１】ユーザデータを書き込むための処理の手順を示す図である。
【図１２】ディスクアットワンス記録が行われた本実施形態による光ディスク１０１の断面と形成された領域の配置を示す図である。
【図１３】実施形態２による光ディスク装置９０の記録処理の手順を示す。
【図１４】ディスク情報の設定処理の手順を示す図である。
【符号の説明】
【０１４５】
８０−１  リードイン領域
８０−２  リードアウト領域
８１−１  Ｌ１データ領域
８１−２  Ｌ２データ領域
８２−１  Ｌ１ミドル領域
８２−２  Ｌ２ミドル領域
８５  ディスク情報
９０  光ディスク装置
９１  光ヘッド
９２  記録部
９３  ディスク情報管理部
９４  データバッファ
９５  管理バッファ
９６  再生部
９７  処理部
１００、１０１  光ディスク
１０５  Ｉ／Ｏバス
１１０  ホストコンピュータ
【図１】
2006031869.tif 000003
【図２】
2006031869.tif 000004
【図３】
2006031869.tif 000005
【図４】
2006031869.tif 000006
【図５】
2006031869.tif 000007
【図６】
2006031869.tif 000008
【図７】
2006031869.tif 000009
【図８】
2006031869.tif 000010
【図９】
2006031869.tif 000011
【図１０】
2006031869.tif 000012
【図１１】
2006031869.tif 000013
【図１２】
2006031869.tif 000014
【図１３】
2006031869.tif 000015
【図１４】
2006031869.tif 000016